(57)【要約】      （修正有）【課題】制御盤更新開始から新設制御盤の試験までの機能喪失期間を短縮することのできる制御盤の更新方法を提供する。【解決手段】既設制御盤３の既設制御装置３ａを更新する制御盤の更新方法において、新設制御装置５ａ、新設ネットワーク７及び試験装置６を既設制御盤３の外部に設置する新設制御装置設置工程と、設置された新設制御装置５ａ及び試験装置６を新設ネットワーク７にて接続する新設ネットワーク接続工程と、新設制御装置５ａの試験を既設制御盤３の外部にて行う新設制御装置試験工程と、既設制御盤３から既設制御装置３ａを撤去する既設制御装置撤去工程と、既設制御装置３ａが撤去された既設制御盤３に新設制御装置５ａを収納する新設制御装置収納工程と、収納された新設制御装置５ａに既設制御盤３の既設端子台３ｂを接続する既設端子台接続工程と、接続された新設制御装置５ａと現場機器１との接続確認を行う現場機器接続確認工程とを有する。【選択図】図１
2010259137.tif 000002
【特許請求の範囲】
【請求項１】
既設制御装置及び既設端子台を含む既設制御盤の既設制御装置を更新する制御盤の更新方法において、
新設制御装置、新設ネットワーク及び試験装置を前記既設制御盤の外部に設置する新設制御装置設置工程と、
この設置された新設制御装置及び試験装置を前記新設ネットワークにて接続する新設ネットワーク接続工程と、
前記新設制御装置の試験を既設制御盤の外部にて行う新設制御装置試験工程と、
前記既設制御盤から既設制御装置を撤去する既設制御装置撤去工程と、
この既設制御装置が撤去された前記既設制御盤に前記新設制御装置を収納する新設制御装置収納工程と、
この収納された新設制御装置に前記既設制御盤の既設端子台を接続する既設端子台接続工程と、
この接続された新設制御装置と現場機器との接続確認を行う現場機器接続確認工程と、
を有することを特徴とする制御盤の更新方法。
【請求項２】
既設制御装置及び既設制御盤筐体を含む既設制御盤を更新する制御盤の更新方法において、
第１の新設制御盤、新設ネットワーク及び試験装置を前記既設制御盤の外部に設置する第１の新設制御盤設置工程と、
この設置された前記新設制御盤と前記試験装置とを前記新設ネットワークにて接続する新設ネットワーク接続工程と、
前記新設制御盤の試験を前記既設制御盤の外部にて行う新設制御盤試験工程と、
前記既設制御盤の外線ケーブルを取り外すことなく、前記新設制御装置と現場機器との接続確認を行う現場機器接続確認工程と、
前記制御盤を再度更新するときに、前記既設制御盤から既設制御装置を撤去した後の既設制御盤筐体に第２の新設制御盤の次期新設制御装置を収納する第２の新設制御盤の次期新設制御装置設置工程と、
を有することを特徴とする制御盤の更新方法。
【請求項３】
前記新設制御盤設置工程は、複数の新設制御盤を前記既設制御盤の外部に設置する工程であること、を特徴とする請求項１又は２記載の制御盤の更新方法。
【請求項４】
前記試験装置を介して得られた試験結果データを、前記試験装置に接続された記録装置に記録させる試験結果データ記録工程をさらに有すること、を特徴とする請求項１又は２記載の制御盤の更新方法。
【発明の詳細な説明】
【技術分野】
【０００１】
本発明は、既設制御装置及び既設端子台を備える既設制御盤の既設制御装置を更新する制御盤の更新方法に関する。
【背景技術】
【０００２】
従来、既設制御盤の更新を施行するときには、筐体も含めて制御盤の一括更新が行われていた。
【０００３】
また、既設制御盤の更新を施行するときには、中継盤を介して制御盤の更新が行われていた。この中継盤を介しての既設制御盤の更新に関連して「制御盤更新方法」が知られている（例えば、特許文献１参照）。この中継盤を介しての制御システムの更新手法及び試験手法について、図１７、図１８を用いて説明する。
【０００４】
図１７は、従来の制御盤更新方法を適用した設備の配線状況の経過を示す図であり、図１８の従来の制御盤更新方法の手順を示すフローチャートである。
【０００５】
本図に示すように、既設制御盤３１と新設制御盤３２はそれぞれ入出力部のＩ／Ｏ３４、３６を介して外部と接続されるようになっている。当初の既設制御盤３１はＩ／Ｏ３４を介して配線３８が接続され、この配線３８の他端は図示しない制御装置が接続されており、配線３８を経由して既設制御盤３１が制御装置を制御している。このようなシステムにおける制御盤の更新作業は、図１８のフローチャートに沿った次の手順によって行われる。
【０００６】
ステップＳ３１において、まず初めに中継盤３３を準備し、この中継盤３３から既設制御盤３１に２本の中継ケーブル３９を配線する。中継盤３３の２つの接点ａ、ｂのうち、ａは閉じｂは開いた状態にあり、それぞれの一端は互いに接続されている。２本の中継ケーブル３９は接点ａの両端子に接続される。
【０００７】
ステップＳ３２において、２本の中継ケーブル３９を、間をおいて、配線３８に直スリーブ接続する。この時は、既設制御盤３１は稼働中であってもよい。
【０００８】
ステップＳ３３において、２ヶ所の直スリーブ接続部３７の間を切断する。これによって、制御装置は配線３８、直スリーブ接続部３７、中継ケーブル３９、中継盤３３のａ接点、中継ケーブル３９、直スリーブ接続部３７、の順に経由して既設制御盤３１のＩ／Ｏ３４に接続され、設備は稼動中のままである。
【０００９】
ステップＳ３４において、既設制御盤３１を、ステップ１３の配線のまま退避場所に移設する。
【００１０】
ステップＳ３５において、端子台３５を備えた新設制御盤３２を、当初の既設制御盤３１があった場所に設置する。端子台３５は中央端子を含む３端子を備え、中央端子と残る２端子の何れかが接続される。中央端子はＩ／Ｏ３６に接続されている。
【００１１】
ステップＳ３６において、端子台３５の中央端子に接続されていない端子を制御装置に接続し、端子台３５の中央端子に接続された端子を中継ケーブル３９を介して中継盤３３の接点ｂに接続する。接点ｂは開いているので、新設制御盤３２のＩ／Ｏ３６は制御装置に接続されていない状態にある。
【００１２】
ステップＳ３７において、接点ｂを閉じる。これによって、新設制御盤３２は、既設制御盤３１と同様に中継盤３３を介して制御装置に接続される。この状態で、新設制御盤３２の動作チェックをし、既設制御盤３１と比較して調整作業などを行う。
【００１３】
ステップＳ３８において、端子台３５を切替える。これによって新設制御盤３２の Ｉ／Ｏ３６は、中継盤３３と中継ケーブル３９を介することなく、配線３８と端子台３５を介して制御装置に接続される。この状態で新設制御盤３２の動作の最終確認をする。
【００１４】
ステップＳ３９において、中継盤３５の接点ｂを開き、既設制御盤３１と、中継盤３３、中継ケーブル３９を適宜撤去する。このような手順によって既設制御盤３１を新設制御盤３２に置き換える。
【先行技術文献】
【特許文献】
【００１５】
【特許文献１】特開２０００−１３９３６号公報
【発明の概要】
【発明が解決しようとする課題】
【００１６】
上述した従来の制御盤の更新においては、既設制御盤３１の更新を施行するときには、中継盤３３を介して制御盤の更新が行われていた。
【００１７】
この中継盤３３を介しての既設制御盤３１の更新時には、図１７（ｅ）に示すように、上記ステップＳ３５において、端子台３５を備えた新設制御盤３２を、当初の既設制御盤３１があった場所に設置する。端子台３５は中央端子を含む３端子を備え、中央端子と残る２端子の何れかが接続される。中央端子はＩ／Ｏ３６に接続されている。
【００１８】
しかし、端子台３５の中央端子と残る２端子の何れかが中継盤３３に接続されているものの、この端子台３５の残りの１端子と外線ケーブルである配線３８が接続されていない。このため、この配線３８を経由して制御装置を制御できないので、制御装置の制御機能の喪失が発生するという課題があった。
【００１９】
また、中継盤３３を予め設置する必要があり、狭い作業環境の中で、既設制御盤３３及び新設制御盤３２の他に余分のスペースを確保しなければならない、という課題があった。
【００２０】
さらに、試験結果データ採取時の意図的又は偶発的誤認により、試験結果データが変更される可能性が常時潜在しているという課題があり、また、定期的に施行される同一内容試験において、毎回試験員が試験用信号を模擬入出力するために、意図的又は偶発的誤認により、試験要領から逸脱する可能性が潜在しているという課題があった。
【００２１】
本発明は上記課題を解決するためになされたもので、中継盤を用いることなく制御盤更新開始から新設制御盤の試験までの機能喪失期間を短縮することのできる制御盤の更新方法を提供することを目的とする。
【課題を解決するための手段】
【００２２】
上記目的を達成するため、本発明は、既設制御装置及び既設端子台を含む既設制御盤の既設制御装置を更新する制御盤の更新方法において、新設制御装置、新設ネットワーク及び試験装置を前記既設制御盤の外部に設置する新設制御装置設置工程と、この設置された新設制御装置及び試験装置を前記新設ネットワークにて接続する新設ネットワーク接続工程と、前記新設制御装置の試験を既設制御盤の外部にて行う新設制御装置試験工程と、前記既設制御盤から既設制御装置を撤去する既設制御装置撤去工程と、この既設制御装置が撤去された前記既設制御盤に前記新設制御装置を収納する新設制御装置収納工程と、この収納された新設制御装置に前記既設制御盤の既設端子台を接続する既設端子台接続工程と、この接続された新設制御装置と現場機器との接続確認を行う現場機器接続確認工程と、を有することを特徴とするものである。
【００２３】
また、上記目的を達成するため、本発明は、既設制御装置及び既設制御盤筐体を含む既設制御盤を更新する制御盤の更新方法において、第１の新設制御盤、新設ネットワーク及び試験装置を前記既設制御盤の外部に設置する第１の新設制御盤設置工程と、この設置された前記新設制御盤と前記試験装置とを前記新設ネットワークにて接続する新設ネットワーク接続工程と、前記新設制御盤の試験を前記既設制御盤の外部にて行う新設制御盤試験工程と、前記既設制御盤の外線ケーブルを取り外すことなく、前記新設制御装置と現場機器との接続確認を行う現場機器接続確認工程と、前記制御盤を再度更新するときに、前記既設制御盤から既設制御装置を撤去した後の既設制御盤筐体に第２の新設制御盤の次期新設制御装置を収納する第２の新設制御盤の次期新設制御装置設置工程と、を有することを特徴とするものである。
【発明の効果】
【００２４】
本発明の制御盤の更新方法によれば、中継盤を用いないで、外線ケーブルを外すことなく既設制御装置の撤去から新設制御装置の収納までの制御盤の更新を行うことができ、制御盤の機能喪失期間を大幅に短縮することができる。
【図面の簡単な説明】
【００２５】
【図１】本発明の第１の実施の形態の制御盤の更新方法の第一段階の構成を示す構成図。
【図２】本発明の第１の実施の形態の制御盤の更新方法の第二段階の構成を示す構成図。
【図３】制御盤の更新方法の手順を示す工程図。
【図４】本発明の第２の実施の形態の制御盤の更新方法の第一段階の構成を示す構成図。
【図５】本発明の第２の実施の形態の制御盤の更新方法の第二段階の構成を示す構成図。
【図６】本発明の第３の実施の形態の制御盤の更新方法の第一段階の構成を示す構成図。
【図７】本発明の第３の実施の形態の制御盤の更新方法の第二段階の構成を示す構成図。
【図８】本発明の第１の実施の形態の制御盤の更新方法の第一段階の構成を示す構成図。
【図９】本発明の第１の実施の形態の制御盤の更新方法の第二段階の構成を示す構成図。
【図１０】本発明の第１の実施の形態の制御盤の更新方法の更新完了時の構成を示す構成図。
【図１１】本発明の第１の実施の形態の制御盤の更新方法の再度更新施工時の構成を示す構成図。
【図１２】制御盤の更新方法の手順を示す工程図。
【図１３】本発明の第２の実施の形態の制御盤の更新方法の第一段階の構成を示す構成図。
【図１４】本発明の第２の実施の形態の制御盤の更新方法の第二段階の構成を示す構成図。
【図１５】本発明の第３の実施の形態の制御盤の更新方法の第一段階の構成を示す構成図。
【図１６】本発明の第３の実施の形態の制御盤の更新方法の第二段階の構成を示す構成図。
【図１７】従来の制御盤更新方法を適用した設備の配線状況の経過を示す図。
【図１８】従来の制御盤更新方法の手順を示すフローチャート。
【発明を実施するための形態】
【００２６】
以下、本発明に係る制御盤の更新方法の実施の形態について、図面を参照して説明する。ここで、同一又は類似の部分には共通の符号を付すことにより、重複説明を省略する。
【００２７】
図１は、本発明の第１の実施の形態の制御盤の更新方法の第一段階の構成を示す構成図であり、図２は、本発明の第１の実施の形態の制御盤の更新方法の第二段階の構成を示す構成図であり、図３は、制御盤の更新方法の手順を示す工程図である。
【００２８】
図１に示すように、既設制御盤３には、外線ケーブル２を接続する端子台３ｂ、既設制御装置３ａが収納されており、この端子台３ｂと既設制御装置３ａとは既設配線３ｃで接続されている。また、既設ネットワーク４ａにより既設制御装置３ａと計算機４が接続されている。
【００２９】
まず、図３に示す新設制御装置設置工程Ｓ１、新設ネットワーク接続工程Ｓ２について説明する。
【００３０】
制御盤の更新のときには、既設制御盤３の外部に、新設ネットワーク７に係る機材と、新設制御装置５ａと、試験装置６が設置される。この新設ネットワーク７により、新設制御装置５ａ、試験装置６及び計算機４が接続される。このように接続することにより、既設制御盤３の制御とは無関係に新設制御装置５ａに係るシステムを構築することができる。
【００３１】
次に、新設制御装置試験工程Ｓ３について説明する。
【００３２】
新設制御装置５ａは、既設制御盤３が制御を継続した状態において、新設ネットワーク７にて接続された試験装置６からの入出力模擬信号８ａにより演算処理を行い、処理結果は入出力確認信号８ｂとして新設ネットワーク７経由で試験装置６へ出力される。この試験装置６にて入出力確認信号８ｂを確認することにより、制御機能確認試験を行うことができ、また、新設ネットワーク７の伝送確認試験も行うことができる。
【００３３】
また、新設制御装置５ａに付属されている新設配線５ｃを既設制御盤３の端子台３ｂに接続し、既設配線３ｃを端子台３から取り外すことにより、既設制御装置３ａから新設制御装置５ａへの切り替えを行う。既設制御盤３の端子台３ｂにおいて試験員が入力模擬信号８ｅを入力し、新設制御装置５ａおいて、この入力模擬信号８ｅにより演算処理を行い、この処理結果を出力確認信号８ｆとして出力する。端子台３ｂにおいて、この出力確認信号８ｆを試験員が確認することにより、新設制御装置５ａと現場機器１との接続確認試験を行うことができる。
【００３４】
上述のように、新設制御装置５ａの試験は、既設制御盤３の外部で行うことができ、制御機能確認試験は、既設制御盤３の制御機能を停止させることなく行うことができる。
【００３５】
次に、既設制御装置撤去工程Ｓ４、新設制御装置収納工程Ｓ５について説明する。
【００３６】
新設制御装置５ａの試験が完了し制御機能が移行されると、図２に示すように、既設制御装置３ａ及び既設配線３ｃの撤去を行い、新設制御装置５ａ及び新設配線５ｃを既設制御盤３内に収納する。
【００３７】
ここで、既設端子台接続工程Ｓ６、現場機器接続確認工程Ｓ７について説明する。
【００３８】
上述のように、既設制御盤３内に収納された新設制御装置５ａに既設制御盤３の既設端子台３ｂが新設配線５ｃを介して接続される。そして、この既設制御盤３が接続された新設制御装置５ａと現場機器１との接続確認が行われる。
【００３９】
このように構成された本実施の形態において、新設制御装置５ａの試験（Ｓ３）は、既設制御盤３の外部で行うことができ、制御機能確認試験は、既設制御盤３の制御機能を停止させることなく行うことができる。また、接続確認試験は、現場機器１の外線ケーブル２を端子台３ｂから外すことなく行うことができる。この接続確認試験が終了すると、新設制御装置５ａにて制御を行うために、制御機能が停止するのは、新設制御装置５ａの接続確認試験を行っている間のみの短期間となる。
【００４０】
本実施の形態によれば、外線ケーブル２を外すことなく、制御盤の更新が完了する。既設制御装置３ａの撤去（Ｓ４）から新設制御装置５ａの収納（Ｓ５）までの制御盤の更新工事の間は、新設制御装置５ａにて制御を行っているために、制御盤の機能喪失期間を大幅に短縮することができる。また、既設制御盤３の外部で新設制御装置５ａの試験が行えるために（Ｓ３）、プラント運転中でも制御盤の更新を開始することができ、プラントの定期検査期間が短い場合でも、制御盤の更新を行うことができる。
【００４１】
図４は、本発明の第２の実施の形態の制御盤の更新方法の第一段階の構成を示す構成図であり、図５は、本発明の第２の実施の形態の制御盤の更新方法の第二段階の構成を示す構成図である。図１、図２と同一又は類似の部分には共通の符号を付すことにより、重複説明を省略する。
【００４２】
図４に示すように、制御盤の更新のときには、既設制御盤３の外部に、複数の新設制御装置５ａ及び試験装置６が設置される。新設ネットワーク７により、複数の新設制御装置５ａ、試験装置６及び計算機４が接続される。このように接続することにより、既設制御盤３の制御とは無関係にシステムを構築することができる。
【００４３】
新設制御装置５ａは、既設制御盤３が制御を継続した状態において、新設ネットワーク７にて接続された試験装置６からの入出力模擬信号８ａにより演算処理を行い、処理結果は入出力確認信号８ｂとして新設ネットワーク７経由で試験装置６へ出力される。この試験装置６にて入出力確認信号８ｂを確認することにより、制御機能確認試験を行うことができ、また、新設ネットワーク７の伝送確認試験も行うことができる。
【００４４】
このように構成された本実施の形態において、この試験装置６から、新設ネットワーク７により接続された複数の新設制御装置５ａに、同時に入出力模擬信号８ａが入力される。この複数の新設制御装置５ａにおいて、入出力模擬信号８ａにより演算処理を行い、この処理結果が入出力確認信号８ｂとして、新設ネットワーク７経由で試験装置６に出力される。試験装置６において、複数の新設制御装置５ａからの入出力確認信号８ｂを確認することにより、同時に複数の新設制御装置５ａの制御機能確認試験を行うことができる。また、新設ネットワーク７の伝送確認試験を行うことができる。
【００４５】
また、それぞれの新設制御装置５ａに付属されている新設配線５ｃを、それぞれの既設制御盤３の端子台３ｂに接続し、既設配線３ｃを端子台３ｂから外すことにより、既設制御装置３ａから新設制御装置５ａへの切り替え工事を施工することができる。
【００４６】
この切り替え工事の後に、それぞれの既設制御盤３の端子台３ｂにおいて、試験員が入力模擬信号８ｅを入力し、複数の新設制御装置５ａにおいて、それぞれ並行して入力模擬信号８ｅにより演算処理を行う。この演算処理の処理結果は出力確認信号８ｆとして端子台３ｂにおいて出力され、試験員が確認することにより、複数の新設制御装置５ａと現場機器１との接続確認試験を行うことができる。
【００４７】
上述のように、同時に複数の新設制御装置５ａの試験が既設制御盤３の外部で行うことができる。新設制御装置５ａの制御機能確認試験は、それぞれの既設制御盤３の制御機能を停止させることなく行うことができる。また、接続確認試験は、現場機器１の外線ケーブル２を端子台３ｂから外すことなく行うことができる。この接続確認試験が終了した後に、複数の新設制御装置５ａの制御が行われるので、制御機能が停止するのは、新設制御装置５ａの接続確認試験を行っている間のみの短期間となる。
【００４８】
次に、図５に示すように、複数の新設制御装置５ａの接続確認試験が完了し制御機能が移行された後に、それぞれの既設制御装置３ａ及び既設配線３ｃの撤去が行われ、新設制御装置５ａ及び新設配線５ｃがそれぞれの既設制御盤３内に収納される。
【００４９】
本実施の形態によれば、外線ケーブル２を外すことなく、複数の制御盤更新が完了する。既設制御装置３ａの撤去から新設制御装置５ａの収納までの間は、複数の新設制御装置５ａにてそれぞれの制御を行っているために、制御機能の喪失期間を大幅に短縮することができる。
【００５０】
また、複数の新設制御装置５ａの試験が、既設制御盤３の外部で行われるために、プラント運転中でも同時に複数の制御盤更新を開始することができるので、プラントの定期検査期間が短い場合でも複数の制御盤更新を行うことができる。
【００５１】
図６は、本発明の第３の実施の形態の制御盤の更新方法の第一段階の構成を示す構成図であり、図７は、本発明の第３の実施の形態の制御盤の更新方法の第二段階の構成を示す構成図である。図１、図２と同一又は類似の部分には共通の符号を付すことにより、重複説明を省略する。
【００５２】
ここで、図３に示す試験結果データ記録工程Ｓ８について説明する。
【００５３】
図６に示すように、制御盤の更新のときには、既設制御盤３の外部に、複数の新設制御装置５ａ及び試験装置６が設置される。新設ネットワーク７により、複数の新設制御装置５ａ、試験装置６及び計算機４が接続される。また、新設ネットワーク７に接続された試験装置６には、ケーブル６ａを介して記録装置６ｂが設置されている。
【００５４】
このように構成された本実施の形態において、図７に示すように、第１の実施の形態及び第２の実施の形態において実施された制御機能確認試験、接続確認試験及び伝送確認試験の結果は、試験結果データ８ｄとして記録装置６ｂに記録される。
【００５５】
本実施の形態によれば、後に記録した試験結果データを、試験成績書に使用し、試験結果データへの意図的又は偶発的変更の防止を可能とし、さらに運転時のデータと比較することにより予防保全が可能となる。
【００５６】
また、試験装置６において入力する新設制御装置５ａへの試験信号は、新設制御装置５が運転中に入力しているプラントの状態信号と同一であるために、制御盤の更新後に、試験装置６を更新後の新設制御装置５ａのモニタ装置として使用することができる。さらに、制御盤更新途中であっても、新設制御装置５ａの接続確認試験が終了し、制御機能が移行された後は、この試験装置６を新設制御装置５ａのモニタ装置として使用することができる。
【００５７】
さらに、図７に示すように、制御盤の更新後においても、試験装置６を新設ネットワーク７に接続したままにしておけば、運用後に発生する新設制御装置５ａの改造時における試験システム、定期事業者検査における検査システムとして使用することができる。また、改造時の試験結果も、試験結果データ８ｄとして、記録装置６ｂに記録させておくとこにより、データの蓄積が可能となる。
【００５８】
図８は、本発明の第４の実施の形態の制御盤の更新方法の第一段階の構成を示す構成図であり、図９は、本発明の第４の実施の形態の制御盤の更新方法の第二段階の構成を示す構成図であり、図１０は、本発明の第４の実施の形態の制御盤の更新方法の更新完了時の構成を示す構成図であり、図１１は、本発明の第４の実施の形態の制御盤の更新方法の再度更新施工時の構成を示す構成図であり、図１２は、制御盤の更新方法の手順を示す工程図である。
【００５９】
図８に示すように、既設制御盤１３は、中央制御室２１や現場機器室２２内に設置されている。この既設制御盤１３には、外線ケーブル１２を接続する端子台１３ｂ、コントローラやリレー等により構成される既設制御装置１３ａが収納されており、この端子台１３ｂと既設制御装置１３ａとは既設配線１３ｃで接続されている。また、既設制御盤１３の間は、盤間ケーブル１２ａにて信号の取り合いを行っている。既設制御盤１３の端子台１３ｂは外線ケーブル１２を介してポンプ等の現場機器１１と接続されている。
【００６０】
まず、図１２に示す第１の新設制御盤設置工程Ｓ１１、新設ネットワーク接続工程Ｓ１２について説明する。
【００６１】
制御盤を更新するときには、既設制御盤１３の近傍に、新設制御装置１５ａを筐体内に収納した新設制御盤１５及び試験装置１６が設置される。この設置された新設制御盤１５及び試験装置１６は、新設ネットワーク１７にて接続される。このように、既設制御盤１３の運転とは無関係に、新設制御盤１５のシステムを構築することができる。
【００６２】
次に、新設制御盤試験工程Ｓ１３、現場機器接続確認工程Ｓ１４について説明する。
【００６３】
新設制御盤１５は、既設制御盤１３が制御を継続した状態において、新設ネットワーク１７にて接続された試験装置１６からの入出力模擬信号１８ａにより演算処理を行い、処理結果を入出力確認信号１８ｂとして新設ネットワーク７経由で試験装置１６へ出力される。この試験装置１６にて入出力確認信号１８ｂを確認することにより、制御機能確認試験を行うことができ、新設ネットワーク１７の伝送確認試験を行うことができる。
【００６４】
また、新設制御盤１５に付属されている延長ケーブル１２ｂを既設制御盤１３の端子台１３ｂに接続し、既設配線１３ｃを端子台１３ｂから外すことにより、既設制御盤１３から新設制御盤１５への切り替えを行うことができる。
【００６５】
既設制御盤１３の端子台１３ｂにて、試験員が入力模擬信号１８ｅを入力することにより、新設制御盤１５において、入力模擬信号１８ｅにより演算処理を行い、この処理結果は出力確認信号１８ｆとして出力され、端子台１３ｂにおいて試験員がこの出力確認信号１８ｆを確認することにより、新設制御盤１５と現場機器１１との接続確認試験を行うことができる。
【００６６】
この新設制御盤１５の試験（Ｓ１３）は、既設制御盤１３の外部で行うことができ、制御機能確認試験は、既設制御盤１３の制御機能を停止させることなく行うことができる。また、接続確認試験は、現場機器１１の外線ケーブル１２を端子台１３ｂから外すことなく行うことができ、接続確認試験が終了すると、新設制御盤１５にて制御を行うため、制御機能が停止するのは、接続確認試験を行っている間のみの短期間となる。
【００６７】
そして、新設制御盤１５の試験が完了し制御機能が移行されると、図９に示すように、既設制御盤１３から既設制御装置１３ａ及び既設配線１３ｃの撤去を行い、既設端子台１３ｂが設置された既設制御盤筐体１３ｄを残存させたまま制御盤更新が完了する。このために、外線ケーブル１２を外すことなく、また、既設制御装置１３ａおよび既設配線１３ｃを撤去する期間も新設制御盤１５での制御は継続可能なために、制御盤の機能喪失期間を大幅に短縮することができる。
【００６８】
上述の制御盤の更新が完了した新設制御盤１５について、機器の経年劣化を考慮し、例えば、さらに十数年後には再度制御盤の更新を行う必要が生じる場合が考えられる。この制御盤の再度更新のときの手順について、図１０及び図１１を用いて以下に説明する。
【００６９】
第１の新設制御盤１５の更新が完了すると、図１０に示すような制御盤の構成となる。この第１の新設制御盤１５の更新後の運用において、既設制御盤１３は、既設制御盤筐体１３ｄ内に既設端子台１３ｂのみが残った状態で配置されている。既設制御装置１３ａの撤去後のスペースは空きスペースとなっている。
【００７０】
ここで、第２の新設制御盤の次期新設制御装置設置工程Ｓ１５について説明する。
【００７１】
制御盤の更新を再度行うときの工程、すなわち、図１１に示す第２の新設制御盤の次期新設制御装置設置工程Ｓ１５について説明する。
【００７２】
次期新設制御装置１５ｄは、既設制御装置１３ａを撤去した後の既設制御盤筐体１３ｄ内の空きスペース内に収納され、次期新設ネットワーク１７ａにより次期新設制御盤１５ｄと次期試験装置１６ｃとが接続される。
【００７３】
このように構成された本実施の形態において、再度の制御盤の更新を行うときも、新設制御盤１５の運転とは無関係にシステムを構築することができる。また、次期試験装置１６ｃを用いることにより、上述した新設制御盤５への更新時と同様の試験方法で、次期新設制御装置１５ｄの制御機能確認試験及び伝送確認試験を行うことができる。また、次期新設制御装置１５ｄに付属されている次期新設配線１５ｅを既設端子台１３ｂに接続し、延長ケーブル１２ｂを既設端子台１３ｂから取り外すことにより、新設制御盤１５の新設制御装置１５ａから次期新設制御盤１５ｄへの制御切り替えを円滑に行うことができる。そして、既設制御盤１３から新設制御盤１５への切り替え時と同様の試験方法にて、接続確認試験を行うことができる。
【００７４】
本実施の形態によれば、新設制御盤１５の制御機能確認試験（Ｓ１３）は、既設制御盤１３の制御機能を停止させることなく行うことができる。また、接続確認試験（Ｓ１４）は、現場機器１１の外線ケーブル１２を既設端子台１３ｂから取り外すことなく行うことができる。接続確認試験が終了すると、新設制御盤１５にて制御を行うために、制御機能が停止するのは、接続確認試験を行っている間のみの短期間となる。
【００７５】
かくして、外線ケーブル１２を外すことなく、また、既設制御装置１３ａおよび既設配線１３ｃを撤去する期間も新設制御盤１５での制御は継続可能なため、制御盤の機能喪失期間を大幅に短縮することができる。また、既設制御盤１３の外部で新設制御盤１５の試験が行えるために、プラント運転中でも制御盤の更新を開始することができ、プラントの定期検査期間が短い場合でも制御盤の更新を行うことができる。
【００７６】
さらに、制御盤の再度の更新を行うときにおいても、既設制御盤筐体１３ｄに次期新設制御装置１５ｄを収納することにより、制御盤筐体を新設することなく、制御盤の機能喪失期間を大幅に短縮することができる。また、既設制御盤１３の外部で新設制御盤１５の試験が行えるため、プラント運転中でも制御盤の更新を開始することができ、プラントの短い定期検査期間の場合でも制御盤更新を行うことができる。
【００７７】
図１３は、本発明の第５の実施の形態の制御盤の更新方法の第一段階の構成を示す構成図であり、図１４は、本発明の第５の実施の形態の制御盤の更新方法の第二段階の構成を示す構成図である。図８、図９と同一又は類似の部分には共通の符号を付すことにより、重複説明を省略する。
【００７８】
図１３に示すように、制御盤の更新を行うときには、既設制御盤１３の外部に、対応する複数の新設制御盤１５及び試験装置１６が設置される。新設ネットワーク１７により、複数の新設制御盤１５の新設制御装置１５ａ及び試験装置１６が接続される。このように接続することにより、既設制御盤１３の制御とは無関係に新設制御盤１５のシステムを構築することができる。なお、非常用設備においては区分間の影響がない構成とする必要があるために、本ネットワークシステムは１区分毎の構成としている。
【００７９】
新設制御盤１５は、既設制御盤１３が制御を継続した状態において、新設ネットワーク１７にて接続された試験装置１６からの入出力模擬信号１８ａにより演算処理を行い、この処理結果は入出力確認信号１８ｂとして新設ネットワーク１７経由して試験装置１６に出力される。この試験装置１６において入出力確認信号１８ｂを確認することにより、制御機能確認試験を行うことができ、また、新設ネットワーク１７の伝送確認試験をも行うことができる。
【００８０】
また、それぞれの新設制御盤１５に付属されている延長ケーブル１２ｂを、それぞれの既設制御盤１３の端子台１３ｂに接続し、既設配線１３ｃを端子台１３ｂから取り外すことにより、既設制御盤１３から新設制御盤１５への切り替えを円滑に行うことができる。それぞれの既設制御盤１３の端子台１３ｂにおいて、試験員が入力模擬信号１８ｅを入力することにより、複数の新設制御盤１５において、それぞれ並行してこの入力模擬信号１８ｅにより演算処理を行い、処理結果を出力確認信号１８ｆとして出力し、端子台１３ｂにて試験員が確認することにより、複数の新設制御盤５と現場機器１１との接続確認試験を行うことができる。
【００８１】
上述のように、同時に同一区分内の複数の新設制御盤１５の試験を既設制御盤１３の外部で行うことができ、制御機能確認試験は、それぞれの既設制御盤１３の制御機能を停止させることなく行うことができる。また、接続確認試験は、現場機器１１の外線ケーブル１２を端子台１３ｂから取り外すことなく行うことができる。接続確認試験が終了すると、複数の新設制御盤１５が制御を行うために、制御機能が停止するのは、接続確認試験を行っている間のみの短期間となる。
【００８２】
次に、図１４に示すように、複数の新設制御装置１５ａの接続確認試験が完了し制御機能が移行された後に、それぞれの既設制御装置１３ａ及び既設配線１３ｃの撤去が行われ、複数の制御盤更新が完了する。
【００８３】
本実施の形態によれば、新設制御盤１５の試験が完了し制御機能が新設制御盤１５に移行されると、図１４に示すように、既設制御盤１３から既設制御装置１３ａ及び既設配線１３ｃの撤去を行い、端子台１３ｂを設置した既設制御盤筐体１３ｄを残存させたまま制御盤更新が完了する。かくして、外線ケーブル１２を外すことなく、また、既設制御装置１３ａ及び既設配線１３ｃを撤去する期間も新設制御盤１５での制御は継続可能なために、制御盤の機能喪失期間を大幅に短縮することができる。また、既設制御盤１３の外部で新設制御盤１５の試験が行えるために、プラント運転中でも制御盤の更新を開始することができ、プラントの定期検査期間が短い場合でも制御盤更新を行うことができる。
【００８４】
図１５は、本発明の第６の実施の形態の制御盤の更新方法の第一段階の構成を示す構成図であり、図１６は、本発明の第６の実施の形態の制御盤の更新方法の第二段階の構成を示す構成図である。図８、図９と同一又は類似の部分には共通の符号を付すことにより、重複説明を省略する。
【００８５】
ここで、図１２に示す試験結果データ記録工程Ｓ１６について説明する。
【００８６】
図１５に示すように、制御盤の更新のときには、既設制御盤１３の外部に、複数の新設制御盤１５及び試験装置１６が設置される。新設ネットワーク１７により、複数の新設制御装置１５ａ及び試験装置１６が接続される。また、新設ネットワーク１７に接続された試験装置１６には、ケーブル１６ａを介して記録装置１６ｂが設置されている。
【００８７】
このように構成された本実施の形態において、図１６に示すように、第４の実施の形態及び第５の実施の形態において試験装置１６を介して施行された制御機能確認試験、接続確認試験及び伝送確認試験の結果は、試験結果データ１８ｄとして記録装置１６ｂに記録される。
【００８８】
本実施の形態によれば、後に記録した試験結果データを試験成績書に使用することができるために、試験結果データへの意図的な又は偶発的な変更の防止を可能とし、さらに運転時のデータと比較することにより予防保全が可能となる。
【００８９】
また、試験装置１６において入力する新設制御盤１５への試験信号は、新設制御盤１５が運転中に入力されているプラントの状態信号と同一であるために、制御盤の更新後に、試験装置１６を更新後の新設制御盤１５のモニタ装置として使用することができる。さらに、制御盤更新途中であっても、新設制御盤１５の接続確認試験が終了し、制御機能が移行された後は、この試験装置１６を新設制御盤１５のモニタ装置として使用することができる。
【００９０】
さらに、図１６に示すように、制御盤の更新後においても、試験装置１６を新設ネットワーク１７に接続したままにしておけば、運用後に発生する新設制御盤１５の改造時における試験システムや定期事業者検査における検査システムとして使用することができる。また、改造時の試験結果も、試験結果データ１８ｄとして、記録装置１６ｂに記録させておくとこにより、データの蓄積が可能となる。
【００９１】
以上本発明の実施の形態について説明してきたが、本発明は、上述したような各実施の形態に何ら限定されるものではなく、各実施の形態の構成を組み合わせて、本発明の主旨を逸脱しない範囲で種々変形して実施することができる。
【符号の説明】
【００９２】
１…現場機器、２…外線ケーブル、３…既設制御盤、３ａ…既設制御装置、３ｂ…端子台、３ｃ…既設配線、４…計算機、４ａ…既設ネットワーク、５…新設制御盤、５ａ…新設制御装置、５ｂ…新設制御装置、５ｃ…新設配線、６…試験装置、６ａ…ケーブル、６ｂ…記録装置、７…新設ネットワーク、８ａ…入出力模擬信号、８ｂ…入出力確認信号、８ｃ…状態モニタ信号、８ｄ…試験結果データ、８ｅ…入力模擬信号、８ｆ…出力確認信号、９…仮設装置、１１…現場機器、１２…外線ケーブル、１２ａ…盤間ケーブル、１２ｂ…延長ケーブル、１３…既設制御盤、１３ａ…既設制御装置、１３ｂ…既設端子台、１３ｃ…既設配線、１３ｄ…既設制御盤筐体、１５…新設制御盤、１５ａ…新設制御装置、１５ｄ…次期新設制御装置、１５ｅ…次期新設配線、１６…試験装置、１６ａ…ケーブル、１６ｂ…記録装置、１６ｃ…次期試験装置、１７…新設ネットワーク、１７ａ…次期新設ネットワーク、１８ａ…入出力模擬信号、１８ｂ…入出力確認信号、１８ｃ…状態モニタ信号、１８ｄ…試験結果データ、１８ｅ…入力模擬信号、１８ｆ…出力確認信号、１８ｇ…入力信号、１９…仮設装置、２１…中央制御室、２２…現場機器室、３２…新設制御盤、３３…中継盤、３４,３６…Ｉ／Ｏ、３５…端子台、３７…直スリーブ接続部、３８…配線、３９…中継ケーブル。
【図１】
2010259137.tif 000003
【図２】
2010259137.tif 000004
【図３】
2010259137.tif 000005
【図４】
2010259137.tif 000006
【図５】
2010259137.tif 000007
【図６】
2010259137.tif 000008
【図７】
2010259137.tif 000009
【図８】
2010259137.tif 000010
【図９】
2010259137.tif 000011
【図１０】
2010259137.tif 000012
【図１１】
2010259137.tif 000013
【図１２】
2010259137.tif 000014
【図１３】
2010259137.tif 000015
【図１４】
2010259137.tif 000016
【図１５】
2010259137.tif 000017
【図１６】
2010259137.tif 000018
【図１７】
2010259137.tif 000019
【図１８】
2010259137.tif 000020